(57)【要約】      （修正有）【課題】記録項目別の記号を標記するタブ取付板を薄型収納ケースの背部に貼着し、そこに記録仕様別の彩色タブを系統的に挟着して双方の組合せにより、背文字表示に代替する識別標示を構成し、明確な識別と保管管理の利便性および検索能率を向上させることができる、光ディスク収納ケースの検索具を提供する。【解決手段】記録情報の記録項目別を区分する索引記号を標記したタブ取付板１０を薄型プラスチックケースの背部の枠内余白部に貼着し、そこに記録仕様を区分する彩色タブ１３〜１５を選定して系統的に挟着し、双方の適切な組合せにより、光ディスクの記録情報の表題に適合する特有の標識化した識別配列を構成して、明確かつ直感的な識別を可能にし、保管場所の省スペース化と保管管理の利便性および検索の能率を向上させる。【選択図】図１
0003214530.tif 000002
【実用新案登録請求の範囲】
【請求項１】
記録情報の項目別索引記号を標記するタブ取付板を薄型プラスチックケースの背部に貼着し、そこに記録仕様を区分する彩色タブを系統的に挟着して、双方の適宜な組合せにより、記録情報の表題に適合する特有の標識化した識別配列を構成することにより、明確で視認性が高く直感的な識別を可能にするとともに、保管場所の省スペース化と保管管理の利便性および検索能率を向上させることを特徴とする、光ディスク収納ケースの検索具。
【請求項２】
記録情報の項目別索引記号を標記し側に位置決め穴を設けるとともに、予め両面接着テープを貼り付け、簡便に薄型プラスチックケースに貼着できるタブ取付板。
【請求項３】
記録情報の記録仕様を色違いの彩色タブで区分し、タブ取付板に標記する索引記号を見る覗き窓と半球状の位置決め突起有する着脱自在な複数の彩色タブ。
【請求項４】
記録情報の項目別索引記号を標記し側に位置決め穴を設けるとともに、予め両面接着テープ貼着したタブ取付板と覗き窓および半球状の位置決め突起を有する複数の彩色タブで構成するユニット化した、光ディスク収納ケースの検索具。
【請求項５】
記録情報の項目別索引記号を標記する偏平状タブ取付板を袋状ケースの頭部に貼着し、そこに記録仕様を区分する偏平状彩色タブを系統的に挟着して、双方の適宜な組合せにより、記録情報の表題に適合する特有の標識化した識別配列を構成することにより、明確で視認性が高く直感的な識別を可能にするとともに、保管場所の省スペース化と保管管理の利便性および検索能率を向上させることを特徴とする偏平状構造の、光ディスク収納ケースの検索具。
【請求項６】
記録情報の項目別索引記号を標記し側に位置決め穴を設けるとともに、予め両面接着テープを貼り付け、簡便に袋状ケースに貼着できる偏平状タブ取付板。
【請求項７】
記録情報の記録仕様を色違いの偏平状彩色タブで区分し、偏平状タブ取付板に標記する索引記号を見る覗き窓と半球状の位置決め突起有する着脱自在な複数の偏平状彩色タブ。
【請求項８】
記録情報の項目別索引記号を標記し側に位置決め穴を設けるとともに、予め両面接着テープ貼着した偏平状タブ取付板と覗き窓および半球状の位置決め突起を有する複数の偏平状彩色タブで構成するユニット化した、光ディスク収納ケースの検索具。
【考案の詳細な説明】
【技術分野】
【０００１】  本考案は、ＣＤ、ＤＶＤ、ＢＤ、などの収納ケースに取付ける検索具に関する。
【背景技術】
【０００２】  未書込みのＣＤ、ＤＶＤ、ＢＤ、（以下「光ディスク」という）は、トレイにリッドを蝶着したシンプルな構造のプラスチック製のケース（以下「薄型プラスチックケース」という）に一枚ずつ収納した状態で販売されていることが多い。また、この光ディスクに情報を書込んだ後に収納する場合も、購入時の薄型プラスチックケースをそのまま使用するのが一般的である。【０００３】  一方、未書込みの光ディスクのみを包装した状態で販売しているものもあり、この場合、情報を書込んだ後に一枚ずつ収納するには別売りの収納ケースを使用するが、保管場所の省スペース化を図るためには、通常、薄型プラスチックケースあるいは袋状ケース（以下「薄型収納ケース」という）を使用する。【０００４】  書込み済みの光ディスクを薄型収納ケースに収納する場合は、記録情報の表題や諸事項を外面や背部に表記して箱あるいは棚などで保管するが、記録面の保護を考慮して背部を正面に縦置きするのが一般的であり、背部の背文字は保管管理の利便性や検索能率の観点からも不可欠な表示部である。【０００５】  しかしながら、薄型収納ケースは厚さが薄いことから、保管場所の省スペース化の点では効果が大きい反面、必然的に背部が狭く小さな背文字となって識別し辛く、袋状ケースに於いては背部が無いことから付箋などを用いても重複、屈曲、欠落などを生じて煩雑になり、保管管理や検索に支障をきたするという欠点があった。
【先行技術文献】
【特許文献】
【０００６】
【特許文献１】特開２００６−２５６６６７号公報
【特許文献２】特開２００７−５５６２２号公報
【特許文献３】特開２０１１−２１８１１１号公報
【特許文献４】実用新案登録第３１１１７２７号
【特許文献５】実用新案登録第３０６１１３７号
【特許文献６】公開実用新案公報昭５８−９７７７８
【非特許文献】
【０００７】
【非特許文献】サンワサプライ株式会社  カタログ  ＦＣＤ‐ＦＮ１２０ＢＫ
【０００８】
【考案の概要】
【考案が解決しようとする課題】
【０００９】  本考案は、以上のような従来の欠点に鑑み、薄型収納ケースの背部の余白部にタブ取付板を貼着し、そこに彩色タブを系統的に挟着して、双方の適宜な組合せにより記録情報の表題に適合する特有の標識化した識別配列を構成することにより、従来の背文字表示を彩色タブによる識別標示に代替して、明確で直感的な識別と保管管理の利便性および検索能率を向上させることができる、光ディスク収納ケースの検索具を提供する事を目的としている。
【課題を解決するための手段】
【００１０】  上記目的を達成するために、本考案は、光ディスクの記録情報を項目別に記号化して標記した第１要素であるタブ取付板と記録情報の記録仕様を区分して色分けした複数の彩色タブから成る第２要素とで構成する。【００１１】  第１要素であるタブ取付板には、光ディスクの記録方式、記録情報の題名の五十音行の索引（アルファベット順や他の外国文字でも可）などを項目別に記号化（以下「索引記号」という）して適宜な間隔で標記する。【００１２】  第２要素である彩色タブは、光ディスクの種類、記録情報のカテゴリー、記録情報の項番（以下「記録仕様」という）などに区分して、記録仕様毎に色違いの複数の彩色タブに割当てて特有化する。【００１３】  実施は、薄型収納ケースの背部の余白部に、第１要素であるタブ取付板を貼着し、そこに第２要素である彩色タブを選定して系統的に挟着し、双方の適宜な組合せにより光ディスクの記録情報に適合する標識化した特有の識別配列を構成して、明確かつ直感的な識別を可能にするとともに、保管管理の利便性と検索能率を向上させることができる、光ディスク収納ケースの検索具である。
【考案の効果】
【００１４】  以上の説明から明らかなように、本考案にあっては次に列挙する効果が得られる。
（１）薄型収納ケースの背部の余白部にタブ取付板を貼着して、そこに、彩色タブを系統的に挟着することのより、従来の背文字表示を標識化した特有の識別標示に代替して明確かつ直感的な識別を可能にするとともに、保管管理の利便性と検索能率を向上させることができる。
（２）光ディスクの記録情報を更新あるいは全く別のものに書き替える場合に於いても、彩色タブの交換あるいは挟着位置の変更により、識別標示を簡便に再構成することができる。
（３）既に使用している収納ケースにも、この光ディスク収納ケースの検索具を簡便に貼着して使用することができる。
【図面の簡単な説明】
【００１５】
【図１】本考案を実施するための第１形態の全体組立図である。
【図２】本考案の第１形態を構成する第１要素の説明する図である。
【図３】本考案の第１形態を構成する第２要素の説明する図である。
【図４】本考案の第１形態の実施図である。
【図５】図４のＧ−Ｇ部の断面拡大図である。
【図６】本考案を実施するための第２形態の全体組立図である。
【図７】本考案の第２形態を構成する第３要素の説明する図である。
【図８】本考案の第２形態を構成する第４要素の説明する図である。
【図９】本考案の第２形態の実施図である。
【図１０】図９のＨ−Ｈ部の断面拡大図である。
【考案を実施するための形態】
【００１６】  以下、本考案の実施の形態を図に基づいて説明する。
【実施例１】
【００１７】  図１は、本考案を実施するための第１形態の全体組立図であって、第１要素のタブ取付板と第２要素の彩色タブの二要素で構成を示し、タブ取付板１０に彩色タブ１３、１４、１５、を系統的に挟着した状態を示す。【００１８】  図２に示すように、第１要素であるタブ取付板１０は断面がコの字形で、上面１０ａに記録情報の記録方式を項目別に、データ記録「Ｄ」、映像記録「Ｖ」、記録情報の題名の五十音行「あ  か  さ  た  な  は  ま  や  ら  わ」の各索引記号を標記してその側に彩色タブを係合させる位置決め穴１１を設けて適宜な間隔に配置する。また、タブ取付板１０の下面１０ｂには両面接着テープ１２を剥離紙が付着した状態で接着する。【００１９】  図３に示すように、第２要素である彩色タブ１３、１４、１５、はクリップ形状で、それぞれ同寸同形状であり、光ディスクＡの種類、記録情報のカテゴリー、記録情報の項番などの記録仕様に区分し、それぞれに色違いの彩色タブを割当てて特有化する。【００２０】  彩色タブ１３、１４、１５、は識別標示部１３ａ、１４ａ、１５ａ、上挟持部１３ｂ、１４ｂ、１５ｂ、下挟持部１３ｃ、１４ｃ、１５ｃ、で構成し、上挟持部には覗き穴１７と半球状の位置決め突起１６を設け、下挟持部はへの字形に屈曲させる。【００２１】  彩色タブ１３、１４、１５、をタブ取付板１０の索引記号の位置に挟着時は、半球状の位置決め突起１６を位置決め穴１１に係合させて取扱い時の位置ずれや脱落を防止する。【００２２】  実施時は、先ず、タブ取付板１０を貼着する両面接着テープ１２の剥離紙を剥がして、薄型プラスチックケースＰのトレイとリッドを蝶着する背部の枠内余白部に貼着する。【００２３】  次いで、光ディスクＡの記録仕様に適合する彩色タブ１３、１４、１５、（多数の中から）を選定して、タブ取付板１０に標記する索引記号の適宜な位置へ挟着して系統的な識別配列を構成する。【００２４】  斯くして、図４に示すように、収納する光ディスクＡの表題を示す標識化した特有の識別配列を構成することにより、背文字表示を彩色タブの識別標示に代替して、厚さの薄い薄型収納ケースＰに於いても視認性が高く直感的な識別を可能にするとともに、保管場所の省スペース化と保管管理の利便性および検索能率を向上させることができる。
【実施例２】
【００２５】  図６は、本考案を実施するための第２形態の全体組立図であって、第３要素の偏平状タブ取付板と第４要素の偏平状彩色タブの二要素で構成を示し、偏平状タブ取付板２０に偏平状彩色タブ２３、２４、２５、を系統的に挟着した状態を示す。【００２６】  図７に示すように、第３要素である偏平状タブ取付板２０は断面が偏平なＧの字形で、上面２０ａに記録情報の記録方式を項目別に、データ記録「Ｄ」、映像記録「Ｖ」、記録情報の題名の五十音行「あ  か  さ  た  な  は  ま  や  ら  わ」の各索引記号を標記してその側に彩色タブを係合させる位置決め穴１１を設けて適宜な間隔に配置する。また、偏平状タブ取付板２０の下面２０ｂには両面接着テープ１２を剥離紙が付着した状態で接着する。【００２７】  図８に示すように、第４要素である偏平状彩色タブ２３、２４、２５、はクリップ形状で、それぞれ同寸同形状であり、光ディスクの種類、記録情報のカテゴリー、記録情報の項番などの記録仕様に区分し、それぞれに色違いの彩色タブを割当てて特有化する。【００２８】  偏平状彩色タブ２３、２４、２５、は識別標示部２３ａ、２４ａ、２５ａ、上挟持部２３ｂ、２４ｂ、２５ｂ、下挟持部２３ｃ、２４ｃ、２５ｃ、で構成し、上挟持部には覗き穴１７と半球状の位置決め突起１６を設ける。【００２９】  偏平状彩色タブ２３、２４、２５、を偏平状タブ取付板２０の索引記号の位置に挟着時は、半球状の位置決め突起１６を位置決め穴１１に係合させて取扱い時の位置ずれや脱落を防止する。【００３０】  実施時は、先ず、偏平状タブ取付板２０を貼着する両面接着テープ１２の剥離紙を剥がして、袋状ケースＪの頭部（開口部）の余白部に貼着する。【００３１】  次いで、光ディスクＡの記録仕様に適合する偏平状彩色タブ２３、２４、２５、（多数の中から）を選定して、偏平状タブ取付板２０に標記する索引記号の適宜な位置へ挟着して系統的な識別配列を構成する。【００３２】  斯くして、図９に示すように、収納する光ディスクＡの表題を示す標識化した特有の識別配列を構成することにより、背文字表示を彩色タブの識別標示に代替して、厚さの薄い袋状ケースＪに於いても視認性が高く直感的な識別を可能にするとともに、保管場所の省スペース化と保管管理の利便性および検索能率を向上させることができる。
【産業上の利用可能性】
【００３３】  本発明は、ＣＤ、ＤＶＤ、ＢＤなどの収納ケース製造産業およびその関連産業で利用される。
【符号の説明】
【００３４】  Ａ、                                          光ディスク
Ｐ、                                          薄型プラスチックケース
Ｊ、                                          袋状ケース
Ｄ、                                          データ記録方式の索引記号
Ｖ、                                          映像記録方式の索引記号
あ、か、さ、た、な、は、ま、や、ら、わ、      題名の五十音行の索引記号
１０、                                        タブ取付板
１０ａ、                                      タブ取付板上面
１０ｂ、                                      タブ取付板下面
１１、                                        位置決め穴
１２、                                        両面接着テープ
１３、１４、１５、                            彩色タブ
１３ａ、１４ａ、１５ａ、                      彩色タブの識別標示部
１３ｂ、１４ｂ、１５ｂ、                      彩色タブの上挟持部
１３ｃ、１４ｃ、１５ｃ、                      彩色タブの下挟持部
１６、                                        半球状の位置決め突起
１７、                                        覗き穴
２０、                                        偏平状タブ取付板
２０ａ、                                      偏平状タブ取付板上面
２０ｂ、                                      偏平状タブ取付板下面
２０ｃ、                                      偏平状タブ取付板抜け止め
２３、２４、２５、                            偏平状彩色タブ
２３ａ、２４ａ、２５ａ、                      偏平状彩色タブの識別標示部
２３ｂ、２４ｂ、２５ｂ、                      偏平状彩色タブの上挟持部
２３ｃ、２３ｃ、２３ｃ、                      偏平状彩色タブの下挟持部
【図１】
0003214530.tif 000003
【図２】
0003214530.tif 000004
【図３】
0003214530.tif 000005
【図４】
0003214530.tif 000006
【図５】
0003214530.tif 000007
【図６】
0003214530.tif 000008
【図７】
0003214530.tif 000009
【図８】
0003214530.tif 000010
【図９】
0003214530.tif 000011
【図１０】
0003214530.tif 000012
【手続補正書】
【提出日】平成29年10月27日(2017.10.27)
【手続補正１】
【補正対象書類名】実用新案登録請求の範囲
【補正対象項目名】全文
【補正方法】変更
【補正の内容】
【実用新案登録請求の範囲】
【請求項１】
記録情報の項目別索引記号を標記するタブ取付板を薄型プラスチックケースの背部に貼着し、そこに記録仕様を区分する彩色タブを系統的に挟着して、双方の適宜な組合せにより、記録情報の表題に適合する特有の標識化した識別配列を構成することにより、明確で視認性が高く直感的な識別を可能にするとともに、保管場所の省スペース化と保管管理の利便性および検索能率を向上させることを特徴とする、光ディスク収納ケースの検索具。
【請求項２】
前記タブ取付板は、記録情報の項目別索引記号を標記してその側に位置決め穴を設けるとともに、予め両面接着テープを貼り付け、簡便に薄型プラスチックケースに貼着にできる、ことを特徴とする請求項１に記載の光ディスク収納ケースの検索具。
【請求項３】
前記彩色タブは、記録情報の記録仕様を色違いの彩色タブで区分し、タブ取付板に表記する索引記号を見る覗き窓と半球状の位置決め突起を有する着脱自在な複数の彩色タブである、ことを特徴とする請求項１に記載の光ディスク収納ケースの検索具。
【請求項４】
記録情報の項目別索引記号を標記してその側に位置決め穴を設けるとともに、予め両面接着テープを貼着した前記タブ取付板と覗き窓および半球状の位置決め突起を有する複数の前記彩色タブで構成するユニット化した、ことを特徴とする請求項１に記載の光ディスク収納ケースの検索具。
【請求項５】
記録情報の項目別索引記号を標記する偏平状タブ取付板を袋状ケースの頭部に貼着し、そこに記録仕様を区分する偏平状彩色タブを系統的に挟着して、双方の適宜な組合せにより、記録情報の表題に適合する特有の標識化した識別配列を構成することにより、明確で視認性が高く直感的な識別を可能にするとともに、保管場所の省スペース化と保管管理の利便性および検索能率を向上させることを特徴とする偏平状構造の、光ディスク収納ケースの検索具。
【請求項６】
前記偏平状タブ取付板は、記録情報の項目別索引記号を標記してその側に位置決め穴を設けるとともに、予め両面接着テープを貼り付け、簡便に袋状ケースに貼着できる、ことを特徴とする請求項５に記載の光ディスク収納ケースの検索具。
【請求項７】
前記偏平状彩色タブは、記録情報の記録仕様を色違いの偏平状彩色タブで区分し、偏平状タブ取付板に標記する索引記号を見る覗き窓と半球状の位置決め突起を有する着脱自在な複数の偏平状彩色タブである、ことを特徴とする請求項５に記載の光ディスク収納ケースの検索具。
【請求項８】
記録情報の項目別索引記号を標記してその側に位置決め穴を設けるとともに、予め両面接着テープを貼着した前記偏平タブ取付板と覗き窓および半球状の位置決め突起を有する複数の前記偏平状彩色タブで構成するユニット化した、ことを特徴とする請求項５に記載の光ディスク収納ケースの検索具。